(57)【要約】【課題】  浴室等に隣接する部屋の床を防水構造にする。【解決手段】脱衣室Ｘの床は、基礎１上に根太２３や下地板２４等で構築した下地構造物の上に床材２０を載設して構成する。浴室Ｙの床は、基礎１上に配置した防水下地材１０の上に床材２０を載置して構成する。脱衣室Ｘの床において、下地構造物と床材２０との間に防水材５を介装し、この防水材５の縁部を浴室Ｙへ延ばし、ドア枠Ｆの下側を通過させ、防水下地材１０の内側に達するよう形成する。防水材５は、三方の縁部に起立縁５ａを形成し、もう一つの縁部に防水下地材１０の底面へ向かう傾斜面部５ｂを形成する。床材２０を通過又は浸透する水は、防水材５が受けて浴室Ｙの防水下地材１０へ確実に導くことができる。また起立縁５ａにより周囲への水の拡散を防止する。これにより、長期にわたって下地構造物や基礎１を腐食から保護できる。【選択図】      図１
2005213833.tif 000002
【特許請求の範囲】
【請求項１】
浴室等及び該浴室等に隣接する隣室の床構造であって、浴室等の床は防水下地材とその上に配置した床材とを備え、隣室の床は下地構造物とその上に配置した床材とを備えると共に、上記下地構造物と床材との間に防水材が介装され、当該防水材が、前記浴室等と隣室との境界を越えて、前記浴室等の床における防水下地材の内側まで達するよう延設されていることを特徴とする防水床構造。
【請求項２】
前記隣室の床の前記防水材において、周縁部の一部に連続する起立縁が設けられ、該起立縁は、浴室等における前記防水下地材に達する位置まで延びている請求項１に記載の防水床構造。
【請求項３】
前記隣室の床の防水材は、前記浴室等に通じる出入口の下側を通過するように配設されている請求項１又は２に記載の防水床構造。
【請求項４】
前記隣室の床における床材が根太等の不連続な部材上に載設され、当該床材が上記不連続部材間に加わる荷重を支持し得る耐荷重強度を有している請求項１乃至３のいずれかに記載の防水床構造。
【請求項５】
前記床材の少なくとも一部が、セメント等の無機質芯材の表面層に繊維質シートを埋設して補強して成る補強板で構成されている請求項１乃至４のいずれかに記載の防水床構造。
【発明の詳細な説明】
【技術分野】
【０００１】
本発明は、浴室やシャワー室等、床を防水構造とした部屋に隣接する部屋（隣室）の床を、防水構造にするための技術に関する。
【背景技術】
【０００２】
浴室の床は防水構造であるのに対し、隣接する脱衣室等の床は必ずしも防水構造が採用されているとは限らない。そこで、浴室の出入口から湯水が隣室に達しないようにするための手段として、特許文献１に記載されるように、浴室と隣室との間に排水溝を設けることが採用されている。
【特許文献１】特開２０００−１３６５５７公報
【発明の開示】
【発明が解決しようとする課題】
【０００３】
特許文献１の技術は、浴室から湯水が飛散することまで防止するものではないから、浴室の出入口を通じて飛散した湯水により隣室の床が濡れた場合、この湯水が床材を浸透して下地構造物や基礎にまで達し、これらの腐食を進行させたり、カビ・雑菌の繁殖を助長するなど、さまざまな問題を引き起こすおそれがあった。
【課題を解決するための手段】
【０００４】
本発明が前記従来の問題を解決するために採用した浴室等及び該浴室等に隣接する隣室の床構造の特徴とするところは、浴室等の床は防水下地材とその上に配置した床材とを備え、隣室の床は下地構造物とその上に配置した床材とを備えると共に、上記下地構造物と床材との間に防水材が介装され、当該防水材が、前記浴室等と隣室との境界を越えて、前記浴室等の床における防水下地材の内側まで達するよう延設されていることである。
【０００５】
前記隣室の床の前記防水材において、その周縁部の一部に連続する起立縁を設け、該起立縁を、浴室等における前記防水下地材に達する位置まで延びている構成とするとよい。
【０００６】
また、前記隣室の床の防水材は、前記浴室等に通じる出入口の下側を通過するように配設することが望ましい。
【０００７】
なお、前記隣室の床の床材が、根太等の不連続な部材の上に載設される場合、当該床材は上記不連続部材間に加わる荷重を支持し得る耐荷重強度を有することが望ましい。
【０００８】
さらに前記床材の少なくとも一部については、セメント等の無機質芯材の表面層にガラス繊維等の繊維質シートを埋設して補強して成る耐湿性補強板で構成することができる。
【発明の効果】
【０００９】
本発明の請求項１に係る防水床構造にあっては、浴室等の隣室側において、下地構造物と床材との間に介装した防水材を浴室等との境界を越えて浴室等側の防水下地材の内側まで達するよう延設したので、何らかの原因で隣室の床が濡れ、湯水が床材を通過又は浸透することがあったとしても、この湯水は上記防水材の表面を流れて浴室等の防水下地材上に排出されるから、隣室の下地構造物や基礎に悪影響が及ぶのを防止する。
【００１０】
請求項２に記載の本発明にあっては、前記隣室の床の前記防水材において、その周縁部の一部に連続する起立縁を設け、該起立縁を、浴室等における前記防水下地材に達する位置まで延びている構成としたので、防水材上に集めた水を外部へ拡散するのを阻止して、確実に浴室等の防水下地材へ導くことができる。
【００１１】
さらに請求項３に記載の如く、隣室の床の防水材を浴室等に通じる出入口の下側を通過するように配設することにより、最も水で濡れやすい領域を防水構造にできる。
【００１２】
なお請求項４に記載したように、隣室の床における床材を不連続部材間に加わる荷重を支持し得る耐荷重強度を有しているものとすれば、防水材に強度を持たせる必要が無くなるから、防水材には防水性能だけを考慮すればよい。それ故、防水材は、取り扱いが容易で安価な肉薄の材料で製作することが可能となる。
【００１３】
床材として、請求項５に記載するような、セメント質芯材の表面層にガラス繊維シートを埋設して補強して成る耐湿性補強板が採用すれば、曲げによる破壊が生じにくく、腐食するおそれのきわめて少ない床構造を提供できる。
【発明を実施するための最良の形態】
【００１４】
本発明は、浴室等の防水構造になされた部屋の床と、これに隣接する脱衣室等の隣室の床の構造に適用される。図１に示すように、脱衣室Ｘ側の床構造は、基礎１上に、根太２３，下地板２４、大引き２４、束２６，束石２７等から成る下地構造物を構築し、その上に床材２０を載設して成る。他方、浴室Ｙ側の床構造は、基礎１上に配置した防止パン等の防水下地材１０の上に床材２０を載置して構成する。図示する例のように、防水下地材１０上に設けた支持突起１１で床材２０の下面を支える構成とすることにより、防水下地材１０と床材２０との間に、排水用空間Ｓを形成することが望ましい。また、防水下地材１０は、高さ調節具４０で、高さレベルの調整を可能にすることが望ましい。
【００１５】
床材２０は、耐水性と所定の耐荷重強度とを備えることが必要であり、例えば、比較的曲げ強度の大きい補強板２１と、比重が比較的小さく断熱性に優れた発泡板２２とを接合したものの表面に、タイル３０を接着剤３１で貼着した構造が採用される。補強板２１には、セメントやモルタル等からなる無機質芯材の表面層に、ガラス繊維や合成樹脂メッシュ等から成る繊維質シートを埋設して強化した板状材が挙げられる。発泡板２２には、ポリスチレン等から成る発泡プラスチック板の一方又は両方の表面に、ガラス繊維ネットで補強したポリマーセメント層を形成してなるものが挙げられる。なお、補強板２１及び発泡板２２は、透水性であっても非透水性であってもよい。また、断熱性や軽量性を特に考慮する必要のない場合、非発泡性の材質とすることも可能である。
【００１６】
本発明の特徴は、浴室Ｙに隣接する脱衣室Ｘの床において、根太２３や下地板２４等から成る下地構造物と床材２０との間に防水材５を介装し、この防水材５の縁部を浴室Ｙ側へ延ばして、ドア枠Ｆの下側を通過させ、浴室Ｙ側の防水下地材１０の内側にまで達するように形成したところにある。防水材５は、ポリエチレン・ＰＥＴ・塩化ビニル等の合成樹脂や、ステンレス鋼・アルミ・真鍮・銅等の金属など、耐水性に優れ且つ透水性・吸水性を持たない材質で製作される。なお、床に加わる荷重を床材２０によって支持できる場合は、防水材５の厚みを薄くして、軽量に製作することができる。
【００１７】
また本例では、図２に示す如く、防水材５における浴室Ｙに臨む縁部を除く三方の縁部に起立縁５ａを形成すると共に、浴室Ｙに臨む縁部には、防水下地材１０の底面へ向かう下り勾配を有する傾斜面部５ｂを形成した。かかる構成により、脱衣室Ｘにおける水が最もかかりやすいドア４近辺の領域において、床を濡らした水が、床材２０を通過又は浸透することがあっったとしても、床材２０の下面に配置した防水材５が、この水を受けて浴室Ｙの防水下地材１０へ確実に導く。また起立縁５ａにより、防水板５上の水が周囲へ拡散するのを防止している。防水下地材１０上に導かれた水は、やがて防水下地材１０に設けられた排水口から排出される。このように本発明は、床材２０下方に根太２３・下地板２４・大引き２５・束２６・土台２８等で構築される下地構造物が水で濡れるのを確実に阻止するから、長期にわたり下地構造物を腐食から保護することができる。
【００１８】
なお防水材５は、脱衣室Ｘ等、浴室の隣室における床の全領域にわたり配設してもよいが、浴室等と隣室との間に設けられるドア４等の開口部近傍にのみ部分的に配置することも可能である。
【実施例１】
【００１９】
図３は、本発明を、浴室Ｙとこれに隣接する脱衣室Ｘの床構造に適用した一実施例を示す側面断面図、図４は、浴室Ｙの床構造に使用する防水下地材１０の一例を示す平面図である。脱衣室Ｘの床は、基礎１上に、根太２３・下地板２４・大引き２５・束２６・束石２７等から成る下地構造物を構築し、その上に防水材５を載置したのち、さらにその上に床材２０を載設して構成される。防水材５は、三方の縁部に起立縁５ａを形成し、残る一方の縁部に傾斜面部５ｂを形成したものである。他方、浴室Ｙ側の床は、基礎１上に配置され、高さ調節具４０で支持されている防止パン等の防水下地材１０の上に、床材２０を載置して構成されている。防水下地材１０の上面には支持突起１１が設けられ、該支持突起１１により、防水下地材１０と床材２０との間に排水用空間Ｓが形成されている。
【００２０】
床材２０は、比較的曲げ強度の大きい補強板２１と、比重が比較的小さく断熱性に優れた発泡板２２とを接合したものの表面に、複数のタイル３０を接着剤３１で貼着したものである。補強板２１は、セメント質芯材の表面層に、ガラス繊維シートを埋設して強化した板状材であり、発泡板２２は、ポリスチレン等から成る発泡プラスチック板の一方又は両方の表面に、ガラス繊維ネットで補強したポリマーセメント層を形成してなるである。なお脱衣室Ｘと浴室Ｙとで、床材２０の材質を共通とすることも異ならせることも可能である。床材２０の表面は、タイル３０のほか、樹脂シートやセラミック板等を用いてもよい。またタイル３０等は、床材２０の美観性、摩擦、強度その他の表面特性を向上させる目的で配置されるが、施工状況によっては省略することも可能である。
【００２１】
浴室Ｙ側に設置される防水下地材１０は、ＦＲＰ、プラスチック、金属等で製作される防水パンが通常使用され、主体となる平坦部１０ａの周囲に立ち上がり部１０ｂを一体形成したものである。図４に示す如く、平坦部１０ａの適所には、床材２０の下面を支える支持突起１１、浴槽が据え置かれる浴槽設置部１２、及び、排水口１３が設けられる。支持突起１１の高さ寸法は、浴槽設置部１２よりも上方に突出するように設定されている。また設置時には、平坦部１０ａが排水口１３へ向かう排水勾配を有するように設定されている。なお本例の防水下地材１０は、全体が中心線Ｐを挟んでほぼ対称に形成され、二つの対称領域のうち、いずれか任意の一方を浴槽設置用、もう一方を洗い場構築用に使用できるようなされている。このため、支持突起１１，浴槽設置部１２，排水口１３も、上記二つの対称領域の双方に設けられている。
【００２２】
防水下地材１０の下面には補強材１４と、高さ調節具４０とが設けられる。高さ調節具４０は、例えば図５に示すように、防水下地材１０に埋設したナット４２に螺合させたボルト４１で、防水下地材１０の荷重を支持するものである。ボルト４１の螺合度合を変更することで、防水下地材１０の基礎１からの距離を増減させ、高さ調節を行える。また本例では、ボルト４１の頭部を突出させる部分にボス部４３を設け、このボス部４３に支持突起１１となる筒状部材を昇降可能に螺合させる構成を採用した。従って、本例の支持突起１１は、床材２０の下面を支持する機能と同時に、高さ調節具４０のボルト４１頭部を隠すキャップ部材としての機能も併せ持っている。なお支持突起１１は、高さ調節の必要性があまりないならば、防水下地材１０の表面に一体形成することも可能である。
【００２３】
本発明に係る床構造は次のようにして施工される。浴室Ｙ側にあっては、まず基礎１に防水下地材１０を設置し、高さ調節具４０を操作して、防水下地材１０を所定の高さレベルに調整すると同時に、浴槽設置部１２にあってはその表面が実質的に水平となるよう調節する。次いで、床材２０を、支持突起１１を介して防水下地材１０の上に載置し固定する。このとき、支持突起１１は浴槽設置部１２より上方に位置するよう設定されているから、床材２０と浴槽設置部１２とが干渉するおそれはない。防水下地材１０には排水勾配が付与されており、それ故、床材２０をその上に載置するだけで、当該床材２０にも排水勾配が付与される。また支持突起１１は昇降可能であるから、床材２０が所定の姿勢に安定するよう微調整することができる。支持突起１１により、防水下地材１０の上面と床材２０の下面との間に排水用空間Ｓが形成される。最後に、上記床材２０の表面に接着剤３１等を用いてタイル３０を張り付ける。
【００２４】
他方、脱衣室Ｘにあっては、基礎１上に根太２３・下地板２４・大引き２５・束２６・束石２７等から成る下地構造物を構築したのち、その上に防水材５を設置する。このとき防水材５の傾斜縁部５ｂが、浴室Ｙの防水下地材１０の内側に達するように調節する。次いで、防水材５の上に床材２０を載置し、ドア枠Ｆ及びドア４の建て込み行った後、最後に、接着剤３１等でタイル３０等表面材を張り付ける。
【００２５】
こうして構築された防水床構造は、脱衣室Ｘの床材２０を通過し又は浸透した水を、防水材５によって浴室Ｙ側の防水下地材１０へ確実に導くことができるから、脱衣室Ｘの下地構造物が濡れるのを防止できる。そして防水下地材１０に達した水は、防水下地材１０自体が排水口１３へ向かう排水勾配を持つため、表面を流れて排水口１３から容易に排出され、死水として停留させることがない。しかも本例では、防水下地材１０と床材２０との間に排水用空間をＳを設けたので、防水下地材１０上の水の排出効率がよい。
【００２６】
ところで本例では、防水下地材１０を基礎１上に据え置いた後、その立ち上がり部１０ｂと躯体壁２との隙間をシート状あるいはフィルム状の防水材５０で覆うと共に、この防水材５０が、躯体壁２の表面に取着される壁材３の裏面側となるように設定した（図５参照）。これにより、壁材３の裏側に浸入したり結露によって生成した水を防水材５０を伝って、防水下地材１０上へ確実に導くことができるから、浴室Ｙ側においても、基礎１や躯体壁２が濡れたり湿気たりするのを防止できる。
【産業上の利用可能性】
【００２７】
本発明は、浴室のほか、シャワー室とその隣室の床構造にも適用することができる。
【図面の簡単な説明】
【００２８】
【図１】本発明に係る防水床構造を浴室とその隣室の床構造に適用した一実施形態を示す要部の側面断面図である。
【図２】本発明に係る防水床構造に使用する防水材の一例を示す斜視図である。
【図３】本発明に係る防水床構造の一実施例であって、浴室とその隣室の床構造を示す側面断面図である。
【図４】本発明に係る防水床構造の一実施例に関するものであって、浴室側の防水下地材の一例を示す平面図である。
【図５】本発明に係る防水床構造の一実施例に関するものであって、防水下地材に設けられる支持突起及び高さ調節具の一例を示す側面断面図である。
【符号の説明】
【００２９】
Ｘ…脱衣室  Ｙ…浴室  １…基礎  ２…躯体壁  ５…防水材  ５ａ…起立縁  ５ｂ…傾斜面部  １０…防水下地材  １１…支持突起  １２…浴槽設置部  １３…排水口  ２０…床材  ２１…補強板  ２２…発泡板  ２３…根太  ２４…下地板  ３０…タイル  ４０…高さ調節具  Ｆ…ドア枠  Ｓ…排水用空間
【図１】
2005213833.tif 000003
【図２】
2005213833.tif 000004
【図３】
2005213833.tif 000005
【図４】
2005213833.tif 000006
【図５】
2005213833.tif 000007